(57)【要約】【課題】囲碁の対局の流れを簡単に写真でデータ保存できるようにする。これにより棋譜を自分よりも実力のある人に提示して適切な指導を受けることを可能とし、レベルに応じた棋力向上の機会を増大させ、棋力向上の経緯を記録として保存できるようにする。【解決手段】所定数の黒石と白石とを収めた碁石セットを前提として、黒石の表面に奇数番号、白石の表面に偶数番号をあらわす。黒石にあらわす奇数番号は１〜９９の範囲の番号、白石の表面にあらわす偶数番号は２〜１００の範囲の番号に限る場合があり、黒石および白石の表面にあらわす番号は、表示カラーの異なる同一数字を備える場合がある。表面に数字を備える黒石および白石は、それぞれ、底面に凹部を備える板状部材に番号順に揃えて収納する場合がある。【選択図】　　なし【特許請求の範囲】
【請求項１】
所定数の黒石と白石とを収めてなる碁石セットであって、
黒石の表面に奇数番号を、白石の表面に偶数番号をあらわしてなることを特徴とする碁石セット。
【請求項２】
黒石の表面に附する奇数番号は１〜９９の範囲の番号であり、白石の表面に附する偶数番号は２〜１００の範囲の番号とすることを特徴とする請求項１記載の碁石セット。
【請求項３】
黒石および白石の表面にあらわす番号は、表示カラーの異なる同一数字を備えることを特徴とする請求項２記載の碁石セット。
【請求項４】
表面に数字を備える請求項１〜請求項３記載の黒石および白石は、それぞれ、底面に凹部を備える板状部材に番号順に整列させて収納することを特徴とする碁石セット。
【発明の詳細な説明】
【０００１】
【発明の属する技術分野】
本発明は、碁石、特に棋譜のデータ保存に資する碁石に関する。
【０００２】
【従来の技術】
囲碁の一手一手は、目的、構想、ヨミが反映されており、局面の展開に従って最も望ましい形で局面ごとの筋（石の流れ）が形成されてゆく。囲碁の対局では一手が独立して意味をもつというより、むしろ数手の組み合わせが意味をもってくる場合が多い。
【０００３】
一方、囲碁を愛好するものは自分の棋力の向上のため、或いは棋力の成長経過を残しておくために、出来るだけ自分の対局戦の棋譜を残しておきたいと願うものである。この場合、対局の流れ（棋譜）はその一手一手に意味が込められていることから、棋力の向上とともにある程度は思い出すことが出来るといわれる。しかし、かなりの高段者でも一手目から最後までの流れ（総譜）を完全に再現できるケースは非常に少ないのが実状である。
【０００４】
このため、全体の棋譜（総譜）を完全な形で残そうとする場合は、対局者のほかに棋譜の作成が出来る程度の実力を持った記録者を必要とする。近時はコンピュータ利用による棋譜の経時入力も可能となっており、局面の進行を正確に記録できる人員さえいれば、比較的簡単に棋譜の完全な保存が出来るようになっている。
【０００５】
【発明が解決しようとする課題】
しかしながら、対局者からやや離れた位置に座って対局を正確に記録するためには、当該記録者が石の置き位置を誤りなく正確に読めるだけの相当に高い実力をもっていることが必要である。問題は、コンピュータ入力であれ手書き記録であれ、いつでもこのような人員がいるとは限らない点である。
【０００６】
また、対局者同士で棋譜を作ろうとすれば、各人が碁罫紙あるいはキーボードやマウス操作をして一手ごとに進行記録を作って行くしかない。しかしこれでは精神を研ぎ澄まして集中しながら対局する囲碁本来の楽しみを奪うものであり、本末転倒の結果を招くおそれが高い。
【０００７】
このような問題を除外しても、次のような問題もある。棋力を向上させるためには、自分の対局を上手（高段者）にみてもらい、打ち方の欠点を指摘してもらうことが非常に大切であるといわれる。初心者に限らずアマチュアの高段者であっても、さらに棋力を向上させるためにはプロ棋士のチェックを受けることが何より重要であるとされる。
【０００８】
このようなケースでは、いわゆる指導碁という形で、実際の対局を行って下手の打ち筋の欠点や特徴を上手（例えばプロ棋士）が評価指摘するという方法が採られている。しかし、プロ棋士による指導碁も棋譜が残っていなければ指導内容も一過性に終わってしまい、指摘された内容を棋力向上に活かすことが出来ないことになる。
【０００９】
囲碁における個人的な癖（悪手を打ってしまう癖）は、高段者がみれば瞬時に見極められるといわれる。アマチュアのどのような高段者であっても、その打ち方の欠点は棋譜さえあれば、プロ棋士には瞬時に指摘できる。
【００１０】
そこで本発明の目的は、対局の流れを写真によって簡単にデータ保存できるようにする点にある。これにより棋譜を自分よりも実力がある人に提示して適切な指導を受けることを可能とし、レベルに応じた棋力向上の機会を増大させ、同時に個人的な棋力向上の経過を記録として保存可能とする。
【００１１】
【課題を解決するための手段】
前記目的を達成するため、本発明に係る碁石セットは、所定数の黒石と白石とを収めた碁石セットを前提として、黒石の表面に奇数番号、白石の表面に偶数番号をあらわすことを特徴とする（請求項１）。
【００１２】
黒石にあらわす奇数番号は１〜９９の範囲の番号、白石の表面にあらわす偶数番号は２〜１００の範囲の番号に限る場合があり（請求項２）、黒石および白石の表面にあらわす番号は、表示カラーの異なる同一数字を備える場合がある（請求項３）。表面に数字を備える黒石および白石は、それぞれ、底面に凹部を備える板状部材に番号順に揃えて収納する場合がある（請求項４）。
【００１３】
【発明の実施の形態】
図１および図２は、本発明に係る碁石セットの実施形態を示す図である。この碁石セットは、例えば図１に示すように、ケース体（碁笥）１１の中に、複数の収納凹凸板１２〜１５を上下段に配し、図２のように、各収納凹凸板１２〜１５の凹部１６に、番号を附した碁石１７を配置して収めてある。
【００１４】
一般に、碁笥（碁石を入れる容器）に収められている碁石の数は２００個程度であるが、本発明に係る碁石１７は、それぞれ番号を附してあり、対局時には番号順に打っていく必要がある。
【００１５】
そこで複数の収納凹凸板１２〜１４を上下段に配し、番号を選ぶための無用な神経を使わずに番号順に打っていくことが出来るようにして、対局への集中を妨げないようにしてある。
【００１６】
また、碁石の数が２００個と仮定した場合、白石と黒石に附する番号は、それぞれ奇数（黒石）、偶数（白石）であり、単純な通し番号とした場合は、黒石が１〜３９９までの奇数番号、白石が２〜４００までの偶数番号をもつことになる。これでも本発明が目的とする棋譜の記録は可能であるが、番号が増えると心理的にも扱いにくくなることは避けられない。
【００１７】
そこで好ましくは、白石と黒石とに附する番号を例えば１〜１００までの奇数番号、偶数番号とし、２００個の碁石を５０個ずつの４グループに分ける。そして、５０個ずつの各グループをそれぞれ一枚の収納凹凸板１２〜１５に分散して収め、心理的にも扱いやすい（集中を妨げない）１〜１００の範囲の数字順に打ってゆくことが望まれる。
【００１８】
この場合、ケース体１１に収める収納凹凸板１２〜１５の数は四つになるが、取り出して使い易いように、各収納凹凸板１２〜１５は上下段に積み重ねて収納できるようにしておくことが望ましい。もちろんケース体１１の側面に開口を設け、側面から収納凹凸板１２〜１５の差し込み収納と取り出しが出来るようにしても良い。
【００１９】
また、碁石に附する番号を１〜１００の範囲に限った場合は、各色の石の総数によって碁石は３組（１５０個）、４組（２００個）、５組（２５０個）といった具合にグループ分けされるが、それに伴い重複数字があらわれる。そこで格段の収納凹凸板１２〜１５に収める碁石の番号の色は、異なる色分け表示とし、実際の対局で打っている番号が何手目であるかを、色分け表示した番号によって判別可能とする。色分け表示は、番号そのものの色を違えても良いし、番号をあらわしている領域のカラーを違えても良い。領域の色分け表示の際のカラーデザイン（例えば輪郭部分だけをカラー表示する等）は問わない。
【００２０】
例えば、序盤で使用する１〜１００手目までの石にあらわす番号は黄色、中盤で使用する１０１〜２００手目までの石にあらわす番号は緑、終盤で使用する２０１〜３００手目までの石にあらわす番号は青、といった具合である。
【００２１】
このような色分けによって、対局者は１〜１００の限られた範囲の偶数または奇数番号の石を順番に打っていけばよい。長い対局戦でも集中を落とさず（番号を気にすることなく）対局を続けることが出来る。
【００２２】
碁石１７の表面にあらわす番号は、最も簡単には例えば、番号を色分け印刷したカラーシールを碁石１７の表面に貼付すれば良い。また、碁石１７の表面に色分け表示した数字（数字領域だけの色分けも含む）を直接に印刷、彫り込み、蒸着しても良い。
【００２３】
カラーシールを用いる場合の利点は、コストが安く、使用劣化があっても簡単に新しい番号シールを貼着しなおすことが出来る点にある。一方、印刷、蒸着、彫り込みといった数字の表示方法は、コストが割高となるが、例えば表面に透明な樹脂コーティング層を設けることにより、滑らかな感触の、使いやすく、しかも経年劣化しにくい碁石１７とすることが出来る。
【００２４】
従って、かかる碁石セットによれば、対局中の適当な段階で、写真カメラ等の適宜の画像記録手段を用いて碁盤上の戦局を撮像記録することにより、爾後、その対局戦の流れを最初から終わりまで完全に記録再生することが出来る。例えばデジタルカメラを使用すれば、対局後の感想戦においても直ちに全体の流れを忠実に再現でき、対局者同士の有意義な意見交換を可能とすることが出来る。また自他の実力向上の経過を完全に記録することも容易となる。記録状態を図３に例示する。
【００２５】
また上位（うわて）の意見、とくに有名なプロ棋士のように時間の限られた実力者の意見を聞く場合にも、一枚またはせいぜい二〜三枚の対局戦の記録写真をみせるだけで、問題点の指摘と、好ましい打ち方（流れ）のポイントの指導を、きわめて短時間で受けることが可能となる。
【００２６】
従来であれば、プロ棋士の指導を受けるチャンスに恵まれる人は非常に少なく限られていたが、かかる方法によればより多くの人が短時間（数秒〜数十秒）で正しい指導を受けることが可能となる。しかも、かかる碁石セットを用いた写真記録によれば、時間の限られたプロ棋士であっても、例えば所定形式の文書による通信指導、Ｅメールによる直接指導など、時間の制約を緩和させつつより多くのアマチュア棋士に対して適切な指導を行うことが出来るようになる。
【００２７】
尚、本発明に係る碁石（１７）は、色分け表示された奇数または偶数の番号を所定数備えるが、紛失等によって、ある番号の石が無くなってしまうことも考えられる。このため、番号表示をしていない予備石を碁石セットに含めておき、同時に例えば色分け表示した予備の数字シールを一以上碁石セットに含めておくことが望ましい。どの色のどの番号の石が無くなっても、予備石に数字シールを貼って手順表示を記録できるようにするためである。
【００２８】
また前記説明では、碁石（１７）を番号順に整列させるための凹部をもった収納凹凸板（１２〜１５）をケース体（１１）に収める旨説明したが、収納凹凸板（１２〜１５）がそれ自体として積み重ね可能な外縁形状を備えるならば、ケース体（１１）は必ずしも必要ではない。
【００２９】
碁石の表面にあらわす数字は、少なくとも片面だけの表示とすることが望ましい。数字が附されていない通常の碁石を用いた対局を行いたい場合もあり得るからである。その場合でも、記録用の写真撮影のときは石を裏返すことによって数字を記録することが出来る。
【００３０】
【発明の効果】
以上説明したように本発明に係る碁石セットによれば、途中経過を含め、対局の流れを最初から最後まで確実かつ簡単にデータ保存することが出来る。
【図面の簡単な説明】
【図１】本発明に係る碁石の収納状態を例示する図である。
【図２】本発明に係る収納凹凸板を例示する図である。
【図３】本発明に係る碁石を用いた場合の記録状態を例示する図である。
【符号の説明】
１１　ケース体
１２〜１５　収納凹凸板
１６　凹部
１７　碁石
【図１】
2004008358.tif 000002
【図２】
2004008358.tif 000003
【図３】
2004008358.tif 000004